(57)【要約】【課題】天井に取り付ける作業が容易な照明器具を提供する。【解決手段】意匠カバー１４が第１位置にある場合、取り付けバネ１３は、枠１２の第１穴を貫通し、略垂直になる。この状態で、ＬＥＤモジュール１１が取り付けバネ１３ごと天井の埋込穴に（Ｘ方向に）挿入される。その後、意匠カバー１４が（Ｙ方向に）回転することにより、意匠カバー１４が第１位置から第２位置に変位する。意匠カバー１４が第２位置にある場合、取り付けバネ１３は、枠１２の第２穴を貫通し、斜めに傾く。この状態では、取り付けバネ１３が天井の埋込穴の縁に引っ掛かり、照明器具１０が天井に固定される。【選択図】図３
2012059560.tif 000002
【特許請求の範囲】
【請求項１】
天井の埋込穴に埋め込まれて使用される照明器具において、
器具本体と、
前記器具本体の下部に、所定の第１位置及び第２位置の間で変位自在に取り付けられ、平面視で前記器具本体より外側に突き出すツバ部と、
前記ツバ部に下端が固定される弾性部材と、
前記ツバ部が前記第１位置にある状態では、前記弾性部材に当接せず、前記ツバ部が前記第２位置にある状態では、前記弾性部材の上端と下端との間に当接して前記弾性部材を押し曲げる押圧部材と
を備え、
前記弾性部材は、前記器具本体が前記埋込穴に埋め込まれた場合に、前記ツバ部が前記第１位置にある状態と前記第２位置にある状態とのいずれか一方のみで前記埋込穴の縁に引っ掛かる引っ掛け部を有することを特徴とする照明器具。
【請求項２】
前記器具本体の前記ツバ部より上方に取り付けられる枠部であって、周壁が略垂直であり、前記ツバ部が前記第１位置にある場合に、前記弾性部材が貫通する第１穴と、周壁が前記押圧部材を形成し、前記ツバ部が前記第２位置にある場合に、前記弾性部材が貫通し、周壁によって前記弾性部材を外側に押し曲げる第２穴とが設けられた枠部をさらに備えることを特徴とする請求項１の照明器具。
【請求項３】
前記第２穴は、平面視で湾曲しており、前記弾性部材が貫通した状態では、周壁によって前記弾性部材をたわませることを特徴とする請求項２の照明器具。
【請求項４】
前記ツバ部は、前記ツバ部の回転操作によって、前記第１位置及び前記第２位置の間で変位することを特徴とする請求項２の照明器具。
【請求項５】
前記引っ掛け部は、前記弾性部材の外側面に隆起した突起であることを特徴とする請求項１から４のいずれかの照明器具。
【請求項６】
前記突起は、前記弾性部材に螺旋状に設けられていることを特徴とする請求項５の照明器具。
【請求項７】
前記弾性部材と前記押圧部材とを少なくとも前記器具本体の左右両側に備えることを特徴とする請求項１から６のいずれかの照明器具。
【発明の詳細な説明】
【技術分野】
【０００１】
本発明は、照明器具に関するものである。本発明は、特に、ＬＥＤダウンライトに関するものである。
【背景技術】
【０００２】
従来、天井に取り付けられるタイプのダウンライトは、２〜４本の板状のバネで天井に取り付けられていた（例えば、特許文献１，２参照）。
【先行技術文献】
【特許文献】
【０００３】
【特許文献１】特開２００８−１４０５５３号公報
【特許文献２】特開２０００−２４３１２６号公報
【発明の概要】
【発明が解決しようとする課題】
【０００４】
従来のダウンライトは、天井に取り付ける際に手動でバネを縮めた状態で天井の埋込穴に挿入しなければならないため、施工に手間がかかるという課題があった。
【０００５】
また、従来のダウンライトは、取り付け可能な天井材の厚さが５〜２５ｍｍ程度のものでなければならないといった制約があり、近年の天井材の多様化に対応できないという課題があった。特に、今後は、既存の白熱灯や蛍光灯のダウンライトをＬＥＤダウンライトに交換するケースが増えると考えられるが、従来のＬＥＤダウンライトをそのまま取り付けられないことがある。そのような場合、プレート等を追加して天井材の厚みや埋込穴の形状を調整する必要があり、施工に手間がかかるという課題があった。
【０００６】
本発明は、例えば、天井に取り付ける作業が容易な照明器具を提供することを目的とする。
【課題を解決するための手段】
【０００７】
本発明の一の態様に係る照明器具は、
天井の埋込穴に埋め込まれて使用される照明器具であり、
器具本体と、
前記器具本体の下部に、所定の第１位置及び第２位置の間で変位自在に取り付けられ、平面視で前記器具本体より外側に突き出すツバ部と、
前記ツバ部に下端が固定される弾性部材と、
前記ツバ部が前記第１位置にある状態では、前記弾性部材に当接せず、前記ツバ部が前記第２位置にある状態では、前記弾性部材の上端と下端との間に当接して前記弾性部材を押し曲げる押圧部材と
を備え、
前記弾性部材は、前記器具本体が前記埋込穴に埋め込まれた場合に、前記ツバ部が前記第１位置にある状態と前記第２位置にある状態とのいずれか一方のみで前記埋込穴の縁に引っ掛かる引っ掛け部を有する。
【発明の効果】
【０００８】
本発明の一の態様によれば、照明器具の器具本体を埋込穴に埋め込んだ後、ツバ部を変位させることによって、弾性部材の引っ掛け部が埋込穴の縁に引っ掛かるように弾性部材を変形させることができるため、照明器具を天井に取り付ける作業が容易である。
【図面の簡単な説明】
【０００９】
【図１】実施の形態１に係る照明器具の分解斜視図。
【図２】実施の形態１に係る照明器具の（ａ）ＬＥＤモジュール及び枠の斜視図、（ｂ）枠の斜視図、（ｃ）取り付けバネ及び意匠カバーの斜視図。
【図３】実施の形態１に係る照明器具の（ａ）全体の斜視図（天井取り付け前の状態）、（ｂ）ＬＥＤモジュール以外の部分の斜視図（取り付けバネの変形前後の状態）、（ｃ）全体の斜視図（天井取り付け後の状態）。
【図４】実施の形態１に係る照明器具の側面図（天井取り付け後の状態）。
【発明を実施するための形態】
【００１０】
以下、本発明の実施の形態について、図を用いて説明する。
【００１１】
実施の形態１．
図１は、本実施の形態に係る照明器具１０の分解斜視図である。図２（ａ）は、照明器具１０のＬＥＤモジュール１１及び枠１２の斜視図、図２（ｂ）は、枠１２の斜視図、図２（ｃ）は、取り付けバネ１３及び意匠カバー１４の斜視図である。図３（ａ）は、照明器具の全体の斜視図（天井取り付け前の状態）、図３（ｂ）は、ＬＥＤモジュール１１以外の部分の斜視図（取り付けバネ１３の変形前後の状態）、図３（ｃ）は、全体の斜視図（天井取り付け後の状態）である。図４は、照明器具１０の側面図（天井取り付け後の状態）である。
【００１２】
照明器具１０は、天井の埋込穴に埋め込まれて使用されるＬＥＤダウンライトである。本実施の形態では、照明器具１０は、光源としてＬＥＤを用いるが、白熱灯、蛍光灯、ＥＬ（エレクトロルミネセンス）、あるいは、その他の光源を用いてもよい。
【００１３】
照明器具１０は、ＬＥＤモジュール１１と、ＬＥＤモジュール１１の端部に取り付けられる枠１２と、天井に照明器具１０を固定するための取り付けバネ１３と、取り付けバネ１３が嵌合され、取り付けバネ１３を変形させるために所定の角度（例えば、約５度）で回転することができる意匠カバー１４を備える。
【００１４】
ＬＥＤモジュール１１は、器具本体の例であり、ＬＥＤ、外部の商用電源から供給される電力によりＬＥＤを点灯させる点灯装置、ＬＥＤの放熱用のヒートシンク等からなる。本実施の形態では、ＬＥＤモジュール１１は、略円柱状であるが、直方体状、立方体状、多角柱状、あるいは、その他の形状であってもよい。
【００１５】
枠１２は、枠部の例であり、ＬＥＤモジュール１１の意匠カバー１４より上方に取り付けられる。本実施の形態では、枠１２は、略円柱状のＬＥＤモジュール１１の外側に嵌められるように略円筒状になっているが、ＬＥＤモジュール１１の形状が異なっていれば、それに合わせて形状が適宜変更されるものとする。枠１２の下部には、平面視で外側に突き出している部分があり、当該部分には、取り付けバネ１３を取り付け状態に導く穴１５と、意匠カバー１４の回転操作を案内する穴１６が設けられている。穴１５，１６の詳細については後述する。
【００１６】
取り付けバネ１３は、弾性部材の例であり、意匠カバー１４に下端が固定されている。取り付けバネ１３は、例えば、金属製の板バネである。なお、取り付けバネ１３は、板状以外の形状、例えば棒状等であってもよい。本実施の形態では、取り付けバネ１３は、ＬＥＤモジュール１１の左右両側に１つずつ、合計２つ備えられているが、２つ以上備えられてもよい。取り付けバネ１３は、互いに所定の間隔をあけて（望ましくは、等間隔で）意匠カバー１４に取り付けられる。取り付けバネ１３には、斜めに並行して直線状に延びる（即ち、螺旋状の）断面略Ｕ字形状の突起１８（溝）が設けられている。突起１８の詳細については後述する。
【００１７】
意匠カバー１４は、ツバ部の例であり、ＬＥＤモジュール１１の下部に、所定の第１位置及び第２位置の間で変位自在に取り付けられ、平面視でＬＥＤモジュール１１より外側に突き出している。図３（ａ）は、意匠カバー１４が第１位置にある状態を示している。図３（ｃ）は、意匠カバー１４が第２位置にある状態を示している。本実施の形態では、意匠カバー１４は、枠１２の下部の外側に突き出している部分の形状に合わせて環形状（丸リング状）になっているが、当該部分の形状が異なっていれば、それに合わせて形状が適宜変更されるものとする。意匠カバー１４には、上部が平面視で外側に突起しており、枠１２の穴１６に引っ掛けられる引っ掛け片１７が設けられている。本実施の形態では、引っ掛け片１７は、意匠カバー１４の２箇所に設けられているが、３箇所以上に設けられてもよい。引っ掛け片１７は、互いに一定の間隔をあけて（望ましくは、等間隔で）意匠カバー１４に設けられる。
【００１８】
枠１２の穴１５は、取り付けバネ１３に対応する位置に１つずつ設けられる。本実施の形態では、取り付けバネ１３がＬＥＤモジュール１１の左右両側に１つずつ、合計２つ備えられているため、穴１５も２つ設けられている。図２（ｂ）に示すように、穴１５は、第１穴１５ａと第２穴１５ｂを連結した穴である。第１穴１５ａの周壁は略垂直であるのに対し、第２穴１５ｂの周壁は斜めに傾いている。また、第１穴１５ａは略長方形状の穴であるのに対し、第２穴１５ｂは略円弧状である。
【００１９】
図３（ｂ）に示すように、取り付けバネ１３は、穴１５を貫通する。上記のように、第１穴１５ａの周壁が略垂直であるため、取り付けバネ１３は、第１穴１５ａを貫通した状態では略垂直になる。即ち、取り付けバネ１３の下端と上端の水平位置が略同じになる。これに対し、第２穴１５ｂの周壁が斜めに傾いているため、取り付けバネ１３は、第２穴１５ｂを貫通した状態では第２穴１５ｂの周壁によって外側に押し曲げられて斜めに傾く。即ち、取り付けバネ１３の下端の水平位置より上端の水平位置がＬＥＤモジュール１１から遠い位置になる。なお、取り付けバネ１３の角度は、第２穴１５ｂの周壁の傾きを調整することによって任意に設定できる。
【００２０】
枠１２の穴１６は、意匠カバー１４の引っ掛け片１７に対応する位置に１つずつ設けられる。本実施の形態では、引っ掛け片１７が意匠カバー１４の２箇所に設けられているため、穴１６も２つ設けられている。図２（ｂ）に示すように、穴１６は、第３穴１６ａと第４穴１６ｂを連結した穴である。第３穴１６ａは引っ掛け片１７の上部の突起している部分が挿入できるように当該部分より広く開口されているのに対し、第４穴１６ｂは当該部分が引っ掛けられるように当該部分より狭く開口されている。
【００２１】
意匠カバー１４をＬＥＤモジュール１１に取り付ける際には、まず、引っ掛け片１７が第３穴１６ａを貫通するように意匠カバー１４を枠１２に嵌め合わせる。即ち、引っ掛け片１７を第３穴１６ａに挿入する。この状態は、意匠カバー１４が第１位置にある状態である。その後、引っ掛け片１７が第４穴１６ｂを貫通するように意匠カバー１４を回転させる。即ち、引っ掛け片１７を第４穴１６ｂにスライド移動させる。これにより、引っ掛け片１７が第４穴１６ｂに引っ掛かり、垂直方向における意匠カバー１４の位置が固定される。この状態は、意匠カバー１４が第２位置にある状態である。この状態において、引っ掛け片１７はスライド移動可能であるため、周方向においては意匠カバー１４の位置が固定されていない。即ち、意匠カバー１４は回転可能である。なお、意匠カバー１４が第１位置にある状態は、引っ掛け片１７が第３穴１６ａからやや第４穴１６ｂ側に移動した状態であってもよい。
【００２２】
取り付けバネ１３の突起１８は、引っ掛け部の例であり、取り付けバネ１３の外側面に隆起している。本実施の形態では、突起１８の断面形状は、略Ｕ字形状であるが、矩形状、あるいは、その他の形状であってもよい。なお、照明器具１０の重量と取り付けバネ１３の特性にもよるが、取り付けバネ１３に突起１８を設けず、取り付けバネ１３の外側面の一部（平らな面）を引っ掛け部として利用してもよい。
【００２３】
図３（ａ）に示すように、意匠カバー１４が第１位置にある場合、取り付けバネ１３は、枠１２の第１穴１５ａを貫通し、略垂直になる。このため、照明器具１０を天井に取り付ける際に、取り付けバネ１３が妨げにならず、ＬＥＤモジュール１１を取り付けバネ１３ごと天井の埋込穴に（Ｘ方向に）挿入することができる。その後、前述したように、意匠カバー１４を（Ｙ方向に）回転させることにより、意匠カバー１４が第１位置から第２位置に変位する。
【００２４】
図３（ｃ）に示すように、意匠カバー１４が第２位置にある場合、取り付けバネ１３は、第２穴１５ｂを貫通し、斜めに傾く。このため、取り付けバネ１３が天井の埋込穴の縁に引っ掛かり、照明器具１０が天井に固定される。このとき、図４に示すように、取り付けバネ１３の突起１８が天井の埋込穴の縁に引っ掛かる。本実施の形態では、突起１８が螺旋状に設けられているため、意匠カバー１４をさらに（Ｙ方向に）回転させて照明器具１０全体を回転させることにより、天井面３０と枠１２の下部の外側に突き出している部分の上面との距離を調整することができる。例えば、当該部分の上面が天井面３０に密着するまで照明器具１０を回転させることで、照明器具１０と天井材との隙間をなくし、美観を向上させることができる。また、本実施の形態では、枠１２の第２穴１５ｂが平面視で湾曲しているため、取り付けバネ１３が第２穴１５ｂを貫通した状態では、第２穴１５ｂの周壁によって取り付けバネ１３がたわむ。これにより、取り付けバネ１３が天井の埋込穴の縁に確実に引っ掛かり（特に、突起１８がない場合に有効である）、照明器具１０を天井にしっかりと固定できる。
【００２５】
上記のように、本実施の形態では、第２穴１５ｂの周壁に、取り付けバネ１３を押し曲げる押圧部材が形成されている。押圧部材は、意匠カバー１４が第１位置にある状態では、取り付けバネ１３に当接せず、意匠カバー１４が第２位置にある状態では、取り付けバネ１３の上端と下端との間に当接して取り付けバネ１３を押し曲げるものである。なお、穴１５の代わりに、枠１２の外周面に突起等を設けることで押圧部材を形成してもよい。以下では、そのような例を本実施の形態の第１変形例として説明する。
【００２６】
第１変形例では、枠１２の取り付けバネ１３に対応する位置に突起が１つずつ設けられる。本実施の形態と同様に、取り付けバネ１３がＬＥＤモジュール１１の左右両側に１つずつ、合計２つ備えられている場合、枠１２の突起も２つ設けられる。それぞれの突起は、本実施の形態で第２穴１５ｂのある部分の上方に設けられ、本実施の形態で第１穴１５ａのある部分の上方に近い側から遠い側にいくに従って、枠１２の外周面からの高さが徐々に大きくなる。なお、本実施の形態で穴１５のある部分は、少なくとも枠１２が取り付けバネ１３に干渉しない構造であればよく、第１変形例では、全体の周壁が略垂直な穴にしてもよいし、それより大きな切り欠きにしてもよい。
【００２７】
第１変形例において、意匠カバー１４が第１位置にある場合、取り付けバネ１３は、枠１２の突起に当接せず、略垂直になる。意匠カバー１４が回転して第１位置から第２位置に変位する過程で、取り付けバネ１３の上端と下端の間が枠１２の突起に当接する。前述したように、枠１２の突起は、枠１２の外周面からの高さが徐々に大きくなっているため、取り付けバネ１３を徐々に外側に押し曲げていく。意匠カバー１４が第２位置にある場合、取り付けバネ１３は、最も外側に押し曲げられた状態となる。即ち、第１変形例においても、意匠カバー１４が第２位置にある場合、取り付けバネ１３は、斜めに傾き、天井の埋込穴の縁に引っ掛かるため、照明器具１０を天井に固定できる。
【００２８】
以上説明したように、本実施の形態では、ＬＥＤモジュール１１を天井の埋込穴に挿入した後、意匠カバー１４を回転し、枠１２の第２穴１５ｂの周壁によって取り付けバネ１３を左右方向に変形させることにより、取り付けバネ１３が略垂直形状から扇形になり、天井の埋込穴に取り付けバネ１３を引っ掛けることができる。したがって、施工時に取り付けバネ１３を縮める操作が不要であり、照明器具１０を天井にスムーズかつ確実に取り付けることが可能となる。また、その後、意匠カバー１４を逆方向に回転し、取り付けバネ１３の弾性力（復元力）を利用して取り付けバネ１３を元の形状に戻すことにより、照明器具１０を天井からスムーズかつ確実に取り外すことが可能となる。
【００２９】
また、本実施の形態では、取り付けバネ１３に設けられている螺旋状の断面略Ｕ字形状の突起１８により、照明器具１０を天井に確実に固定でき、様々な天井材の厚みに対応可能となる。
【００３０】
また、本実施の形態では、意匠カバー１４を他の形状（例えば、丸リング状、四角リング状、三角リング状等）のものに交換するだけで、様々な埋込穴の形状に対応可能となる。
【００３１】
なお、本実施の形態では、意匠カバー１４の回転操作によって、意匠カバー１４を周方向で変位できるようにしているが、意匠カバー１４のスライド操作によって、意匠カバー１４を水平方向で変位できるようにしてもよい。以下では、そのような例を本実施の形態の第２変形例として説明する。
【００３２】
第２変形例では、ＬＥＤモジュール１１が直方体状や立方体状であり、角筒状の枠１２がＬＥＤモジュール１１に取り付けられ、この枠１２に、さらに四角リング状の意匠カバー１４が水平方向にスライド自在に取り付けられる。なお、第２変形例では、枠１２の穴１６に代えて、垂直方向における意匠カバー１４の位置を固定するための他の構造が用いられるものとする。意匠カバー１４は、水平方向のスライド操作によって第１位置及び第２位置の間で変位する。実施の形態１と同様に、意匠カバー１４が第１位置にある場合、取り付けバネ１３は、枠１２の第１穴１５ａを貫通し、略垂直になる。一方、意匠カバー１４が第２位置にある場合、取り付けバネ１３は、第２穴１５ｂを貫通し、斜めに傾く。このため、取り付けバネ１３が天井の埋込穴の縁に引っ掛かり、照明器具１０が天井に固定される。
【００３３】
また、本実施の形態では、ＬＥＤモジュール１１が天井の埋込穴に埋め込まれた場合に、意匠カバー１４が第２位置にある状態にのみ、取り付けバネ１３の引っ掛け部（例えば、突起１８）が埋込穴の縁に引っ掛かるが、意匠カバー１４が第１位置にある状態にのみ、取り付けバネ１３の引っ掛け部が埋込穴の縁に引っ掛かるようにしてもよい。即ち、枠１２の第１穴１５ａの周壁に、取り付けバネ１３を押し曲げる押圧部材が形成されていてもよい。この場合、取り付けバネ１３は、斜めに傾いた状態で意匠カバー１４に下端が固定される。そして、本実施の形態における第１穴１５ａと第２穴１５ｂの形状が逆になる。即ち、第１穴１５ａの周壁は斜めに傾いているのに対し、第２穴１５ｂの周壁は略垂直である。意匠カバー１４が第１位置にある場合、取り付けバネ１３は、枠１２の第１穴１５ａを貫通し、元の形状を保持して斜めに傾く。一方、意匠カバー１４が第２位置にある場合、取り付けバネ１３は、枠１２の第２穴１５ｂを貫通し、第２穴１５ｂの周壁によって内側に押し曲げられ、略垂直になる。
【００３４】
また、本実施の形態では、枠１２の穴１５が、第１穴１５ａと第２穴１５ｂの２種類の穴を連結した穴であるが、枠１２の穴１５は、３種類以上の穴を連結した穴であってもよい。例えば、第２穴１５ｂに連結する穴として、第２穴１５ｂの周壁より斜めに傾いている周壁をもつ穴が設けられてもよい。この場合、意匠カバー１４を回転する角度によって、取り付けバネ１３を貫通させる穴を変えることができるため、取り付けバネ１３の角度を複数段階（例えば、３種類の穴があれば、３段階）で変更することができる。
【符号の説明】
【００３５】
１０  照明器具、１１  ＬＥＤモジュール、１２  枠、１３  取り付けバネ、１４  意匠カバー、１５  穴、１５ａ  第１穴、１５ｂ  第２穴、１６  穴、１６ａ  第３穴、１６ｂ  第４穴、１７  引っ掛け片、１８  突起、３０  天井面。
【図１】
2012059560.tif 000003
【図２】
2012059560.tif 000004
【図３】
2012059560.tif 000005
【図４】
2012059560.tif 000006